(57)【要約】      （修正有）【課題】転がり抵抗とノイズ性能を同時に改善することを可能にした空気入りタイヤを提供する。【解決手段】車両内側領域Ａin及び車両内側領域Ａoutに横溝５１，６１を含む繰り返し要素を少なくとも３種類のピッチを含むＮ個のピッチバリエーションで構成し、車両内側領域における各繰り返し要素の溝面積比率をピッチがより長いものから順番にＳｉ（１）、Ｓｉ（２）、・・・、Ｓｉ（Ｎ−１）、Ｓｉ（Ｎ）としたとき、Ｓｉ（２）−Ｓｉ（１）≧Ｓｉ（３）−Ｓｉ（２）≧・・・≧Ｓｉ（Ｎ）−Ｓｉ（Ｎ−１）、かつ、Ｓｉ（１）＞Ｓｉ（Ｎ）の関係を満足し、車両外側領域における各繰り返し要素の溝面積比率も同様な関係を満足する。【選択図】図２
2016002987.tif 000002
【特許請求の範囲】
【請求項１】
タイヤ周方向に延在して環状をなすトレッド部と、該トレッド部の両側に配置された一対のサイドウォール部と、これらサイドウォール部のタイヤ径方向内側に配置された一対のビード部とを備えると共に、車両に対する装着方向が指定された空気入りタイヤにおいて、
前記トレッド部の車両内側の接地端からタイヤ赤道までを車両内側領域とし、前記トレッド部の車両外側の接地端からタイヤ赤道までを車両外側領域としたとき、前記車両内側領域及び前記車両外側領域に横溝を含む複数の繰り返し要素をタイヤ周方向に沿って反復的に形成し、これら繰り返し要素を少なくとも３種類のピッチを含むピッチバリエーションで構成し、そのピッチバリエーション数をＮとし、前記車両内側領域における各繰り返し要素の溝面積比率をピッチがより長いものから順番にＳｉ（１）、Ｓｉ（２）、・・・、Ｓｉ（Ｎ−１）、Ｓｉ（Ｎ）としたとき、Ｓｉ（２）−Ｓｉ（１）≧Ｓｉ（３）−Ｓｉ（２）≧・・・≧Ｓｉ（Ｎ）−Ｓｉ（Ｎ−１）、かつ、Ｓｉ（１）＞Ｓｉ（Ｎ）の関係を満足し、前記車両外側領域における各繰り返し要素の溝面積比率をよりピッチが長いものから順番にＳｏ（１）、Ｓｏ（２）、・・・、Ｓｏ（Ｎ−１）、Ｓｏ（Ｎ）としたとき、Ｓｏ（２）−Ｓｏ（１）≧Ｓｏ（３）−Ｓｏ（２）≧・・・≧Ｓｏ（Ｎ）−Ｓｏ（Ｎ−１）、かつ、Ｓｏ（１）＞Ｓｏ（Ｎ）の関係を満足することを特徴とする空気入りタイヤ。
【請求項２】
前記車両内側領域において最短ピッチを有する繰り返し要素の溝面積比率Ｓｉ（Ｎ）と前記車両内側領域において最長ピッチを有する繰り返し要素の溝面積比率Ｓｉ（１）との差〔Ｓｉ（Ｎ）−Ｓｉ（１）〕から求まる前記車両内側領域での溝面積比率の最大差が−１％〜−４％であることを特徴とする請求項１に記載の空気入りタイヤ。
【請求項３】
前記車両外側領域において最短ピッチを有する繰り返し要素の溝面積比率Ｓｏ（Ｎ）と前記車両外側領域において最長ピッチを有する繰り返し要素の溝面積比率Ｓｏ（１）との差〔Ｓｏ（Ｎ）−Ｓｏ（１）〕から求まる前記車両外側領域での溝面積比率の最大差が−１％〜−４％であることを特徴とする請求項１又は２に記載の空気入りタイヤ。
【請求項４】
タイヤ周上において、最長ピッチを有する繰り返し要素の数が最短ピッチを有する繰り返し要素の数よりも少ないことを特徴とする請求項１〜３のいずれかに記載の空気入りタイヤ。
【請求項５】
前記繰り返し要素をピッチの長さがタイヤ周方向に沿って周期的に増減するように配列したことを特徴とする請求項１〜４のいずれかに記載の空気入りタイヤ。
【発明の詳細な説明】
【技術分野】
【０００１】
本発明は、トレッドパターンにピッチバリエーションを採用した空気入りタイヤに関し、更に詳しくは、転がり抵抗とノイズ性能を同時に改善することを可能にした空気入りタイヤに関する。
【背景技術】
【０００２】
空気入りタイヤにおいて、トレッドパターンにピッチバリエーションを採用したものが種々提案されている（例えば、特許文献１〜５参照）。より具体的には、トレッド部に横溝を含む複数の繰り返し要素をタイヤ周方向に沿って反復的に形成し、これら繰り返し要素に複数種類のピッチを設定する。このようなピッチバリエーションを採用した場合、走行時に発生するパターンノイズの周波数を分散させて空気入りタイヤのノイズ性能を改善することができる。
【０００３】
しかしながら、ピッチバリエーションを採用した場合、横溝を含む複数の繰り返し要素の剛性がタイヤ周上で不均一になるため転がり抵抗が悪化するという問題がある。また、転がり抵抗を改善するために繰り返し要素の剛性の均一化を図った場合、パターンノイズの周波数を分散させる効果が低下してノイズ性能が悪化することになる。そのため、ピッチバリエーションという枠組みの中で転がり抵抗とノイズ性能を同時に改善することは極めて困難である。
【先行技術文献】
【特許文献】
【０００４】
【特許文献１】特開２０１２−５６４６４号公報
【特許文献２】特開２０１０−７６５６１号公報
【特許文献３】特開２００７−１６８５７２号公報
【特許文献４】特開２００４−２９９６５２号公報
【特許文献５】特開２００４−２１０１３３号公報
【発明の概要】
【発明が解決しようとする課題】
【０００５】
本発明の目的は、トレッドパターンにピッチバリエーションを採用するにあたって、転がり抵抗とノイズ性能を同時に改善することを可能にした空気入りタイヤを提供することにある。
【課題を解決するための手段】
【０００６】
上記目的を達成するための本発明の空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備えると共に、車両に対する装着方向が指定された空気入りタイヤにおいて、
前記トレッド部の車両内側の接地端からタイヤ赤道までを車両内側領域とし、前記トレッド部の車両外側の接地端からタイヤ赤道までを車両外側領域としたとき、前記車両内側領域及び前記車両外側領域に横溝を含む複数の繰り返し要素をタイヤ周方向に沿って反復的に形成し、これら繰り返し要素を少なくとも３種類のピッチを含むピッチバリエーションで構成し、そのピッチバリエーション数をＮとし、前記車両内側領域における各繰り返し要素の溝面積比率をピッチがより長いものから順番にＳｉ（１）、Ｓｉ（２）、・・・、Ｓｉ（Ｎ−１）、Ｓｉ（Ｎ）としたとき、Ｓｉ（２）−Ｓｉ（１）≧Ｓｉ（３）−Ｓｉ（２）≧・・・≧Ｓｉ（Ｎ）−Ｓｉ（Ｎ−１）、かつ、Ｓｉ（１）＞Ｓｉ（Ｎ）の関係を満足し、前記車両外側領域における各繰り返し要素の溝面積比率をよりピッチが長いものから順番にＳｏ（１）、Ｓｏ（２）、・・・、Ｓｏ（Ｎ−１）、Ｓｏ（Ｎ）としたとき、Ｓｏ（２）−Ｓｏ（１）≧Ｓｏ（３）−Ｓｏ（２）≧・・・≧Ｓｏ（Ｎ）−Ｓｏ（Ｎ−１）、かつ、Ｓｏ（１）＞Ｓｏ（Ｎ）の関係を満足することを特徴とするものである。
【発明の効果】
【０００７】
本発明では、車両に対する装着方向が指定された空気入りタイヤにおいて、上記関係式に基づいて、車両内側領域及び車両外側領域において繰り返し要素の溝面積比率を最長ピッチから最短ピッチに向けて減少させ、ピッチが相対的に小さい繰り返し要素の溝面積比率を相対的に小さくすることにより、繰り返し要素の剛性をタイヤ周上で均一化し、転がり抵抗を改善することができる。また、ピッチが相対的に小さい繰り返し要素ほど溝面積比率の変化量を大きくすることにより、パターンノイズの周波数を効果的に分散させてノイズ性能を改善することができる。その結果、ピッチバリエーションという枠組みの中で転がり抵抗とノイズ性能を同時に改善することが可能になる。しかも、このような手法によれば、繰り返し要素の溝面積比率を特定することで所望の効果が得られるので、転がり抵抗とノイズ性能とを両立するために車両内側領域と車両外側領域とで異なるピッチ数や配列を採用する必要がなくなり、その結果、ピッチの設計に要する時間を短縮することができ、また、金型製作工程の複雑化を回避することができるという利点もある。
【０００８】
ここで、各繰り返し要素の溝面積比率は、その繰り返し要素に含まれるネガティブ要素の面積とポジティブ要素の面積との総和に対するネガティブ要素の面積の比率（％）である。ネガティブ要素とは溝部分を意味し、ポジティブ要素とは陸部分を意味する。
【０００９】
車両内側領域において最短ピッチを有する繰り返し要素の溝面積比率Ｓｉ（Ｎ）と車両内側領域において最長ピッチを有する繰り返し要素の溝面積比率Ｓｉ（１）との差〔Ｓｉ（Ｎ）−Ｓｉ（１）〕から求まる車両内側領域での溝面積比率の最大差は−１％〜−４％であることが好ましい。これにより、ウエット路面での操縦安定性を悪化させることなく、転がり抵抗とノイズ性能を効果的に改善することができる。
【００１０】
また、車両外側領域において最短ピッチを有する繰り返し要素の溝面積比率Ｓｏ（Ｎ）と車両外側領域において最長ピッチを有する繰り返し要素の溝面積比率Ｓｏ（１）との差〔Ｓｏ（Ｎ）−Ｓｏ（１）〕から求まる車両外側領域での溝面積比率の最大差は−１％〜−４％であることが好ましい。これにより、ウエット路面での操縦安定性を悪化させることなく、転がり抵抗とノイズ性能を効果的に改善することができる。
【００１１】
特に、Ｓｉ（Ｎ）−Ｓｉ（１）＞Ｓｏ（Ｎ）−Ｓｏ（１）とした場合、偏摩耗への影響が大きい車両内側領域では溝面積比率の最大差が相対的に小さくなり、剛性の均一化が促進されるため耐偏摩耗性が良化し、通過音への影響が大きい車両外側領域では溝面積比率の最大差が相対的に大きくなり、パターンノイズの周波数分散性が向上するためノイズ性能が良化し、通過音が低減される。また、Ｓｉ（Ｎ）−Ｓｉ（１）＜Ｓｏ（Ｎ）−Ｓｏ（１）とした場合、ウエット路面での操縦安定性への影響が大きい車両内側領域では溝面積比率の最大差が相対的に大きくなり、各繰り返し要素の溝体積がタイヤ周上で均一化されるためウエット路面での操縦安定性が良化し、ドライ路面での操縦安定性への影響が大きい車両外側領域では溝面積比率の最大差が相対的に小さくなり、剛性の均一化が促進されるためドライ路面での操縦安定性が良化する。
【００１２】
タイヤ周上において、最長ピッチを有する繰り返し要素の数は最短ピッチを有する繰り返し要素の数よりも少ないことが好ましい。本発明ではピッチが相対的に小さい繰り返し要素の溝面積比率を調整するため、最短ピッチを有する繰り返し要素の数が最長ピッチを有する繰り返し要素の数よりも多い配列において上述の構成を適用した場合に顕著な効果が得られる。
【００１３】
また、繰り返し要素はピッチの長さがタイヤ周方向に沿って周期的に増減するように配列することが好ましい。このような周期配列ではピッチが相対的に小さい繰り返し要素が局所的に集合することになるため、周期配列において上述の構成を適用した場合に顕著な効果が得られる。
【００１４】
本発明において、トレッド部の接地領域は、タイヤを正規リムにリム組みして正規内圧を充填した状態で平面上に垂直に置いて正規荷重を加えたときに測定されるタイヤ軸方向の接地幅に基づいて特定される。接地端は、接地領域のタイヤ軸方向の最外側位置である。「正規リム」とは、タイヤが基づいている規格を含む規格体系において、当該規格がタイヤ毎に定めるリムであり、例えば、ＪＡＴＭＡであれば標準リム、ＴＲＡであれば“Ｄｅｓｉｇｎ  Ｒｉｍ”、或いはＥＴＲＴＯであれば“Ｍｅａｓｕｒｉｎｇ  Ｒｉｍ”とする。「正規内圧」とは、タイヤが基づいている規格を含む規格体系において、各規格がタイヤ毎に定めている空気圧であり、ＪＡＴＭＡであれば最高空気圧、ＴＲＡであれば表“ＴＩＲＥ  ＲＯＡＤ  ＬＩＭＩＴＳ  ＡＴ  ＶＡＲＩＯＵＳＩＯＬＤ  ＩＮＦＬＡＴＩＯＮ  ＰＲＥＳＯＵＲＥＳ”に記載の最大値、ＥＴＲＴＯであれば“ＩＮＦＬＡＴＩＯＮ  ＰＲＥＳＯＵＲＥ”であるが、タイヤが乗用車である場合には１８０ｋＰａとする。「正規荷重」は、タイヤが基づいている規格を含む規格体系において、各規格がタイヤ毎に定めている荷重であり、ＪＡＴＭＡであれば最大負荷能力、ＴＲＡであれば表“ＴＩＲＥ  ＲＯＡＤ  ＬＩＭＩＴＳ  ＡＴ  ＶＡＲＩＯＵＳＩＯＬＤ  ＩＮＦＬＡＴＩＯＮ  ＰＲＥＳＯＵＲＥＳ”に記載の最大値、ＥＴＲＴＯであれば“ＬＯＡＤ  ＣＡＰＡＣＩＴＹ”であるが、タイヤが乗用車である場合には前記荷重の８８％に相当する荷重とする。
【図面の簡単な説明】
【００１５】
【図１】本発明の実施形態からなる空気入りタイヤを示す子午線断面図である。
【図２】図１の空気入りタイヤのトレッドパターンを示す展開図である。
【図３】トレッド部の車両内側領域を示す平面図である。
【図４】トレッド部の車両外側領域を示す平面図である。
【発明を実施するための形態】
【００１６】
以下、本発明の構成について添付の図面を参照しながら詳細に説明する。図１〜図４は本発明の実施形態からなる空気入りタイヤを示すものである。この空気入りタイヤは、車両装着時におけるタイヤ表裏の装着方向が指定されたタイヤである。図１〜図４において、ＩＮは車両装着時の車両内側であり、ＯＵＴは車両装着時の車両外側である。
【００１７】
図１に示すように、本実施形態の空気入りタイヤは、タイヤ周方向に延在して環状をなすトレッド部１と、該トレッド部１の両側に配置された一対のサイドウォール部２，２と、これらサイドウォール部２のタイヤ径方向内側に配置された一対のビード部３，３とを備えている。
【００１８】
一対のビード部３，３間にはカーカス層４が装架されている。このカーカス層４は、タイヤ径方向に延びる複数本の補強コードを含み、各ビード部３に配置されたビードコア５の廻りにタイヤ内側から外側へ折り返されている。ビードコア５の外周上には断面三角形状のゴム組成物からなるビードフィラー６が配置されている。
【００１９】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。ベルト層７の補強コードとしては、スチールコードが好ましく使用される。ベルト層７の外周側には、高速耐久性の向上を目的として、補強コードをタイヤ周方向に対して例えば５°以下の角度で配列してなる少なくとも１層のベルトカバー層８が配置されている。ベルトカバー層８の補強コードとしては、ナイロンやアラミド等の有機繊維コードが好ましく使用される。
【００２０】
なお、上述したタイヤ内部構造は空気入りタイヤにおける代表的な例を示すものであるが、これに限定されるものではない。
【００２１】
図２に示すように、トレッド部１には、タイヤ周方向に延びる４本の主溝１１が形成されている。主溝１１はタイヤ赤道ＣＬよりも車両内側に位置する主溝１１Ａ，１１Ｂとタイヤ赤道ＣＬよりも車両外側に位置する主溝１１Ｃ，１１Ｄとを含んでいる。タイヤ赤道ＣＬ寄りの主溝１１Ａはジグザグ形状をなしているが、他の主溝１１Ｂ，１１Ｃ，１１Ｄは直線状をなしている。これら４本の主溝１１により、トレッド部１には、タイヤ赤道ＣＬ上に位置するセンター陸部２０と、センター陸部２０よりも車両内側に位置する内側中間陸部３０と、センター陸部２０よりも車両外側に位置する外側中間陸部４０と、内側中間陸部３０よりも車両内側に位置する内側ショルダー陸部５０と、外側中間陸部４０よりも車両外側に位置する外側ショルダー陸部６０とが区画されている。
【００２２】
センター陸部２０には、タイヤ幅方向に延長して一端が主溝１１Ｃに連通する一方で他端がセンター陸部２０内で閉止した複数本のサイプ２５がタイヤ周方向に間隔をおいて形成されている。
【００２３】
内側中間陸部３０には、タイヤ幅方向に延長して該中間陸部３０を横断する複数本のサイプ３５がタイヤ周方向に間隔をおいて形成されている。外側中間陸部４０には、タイヤ周方向に沿ってジグザグ状に延在する周方向補助溝４８が形成されている。また、外側中間陸部４０には、タイヤ幅方向に延長して該中間陸部４０を横断する複数本のサイプ４５と、タイヤ幅方向に延長して一端が主溝１１Ｄに連通する一方で他端が周方向補助溝４８に連通する複数本のサイプ４６とがタイヤ周方向に間隔をおいて形成されている。サイプ４５とサイプ４６とはタイヤ周方向に沿って交互に配置されている。
【００２４】
内側ショルダー陸部５０には、車両内側の接地端Ｅinを横切るようにタイヤ周方向に延長して主溝１１Ｂに対して非連通となる複数本の横溝５１と、タイヤ幅方向に延長して一端が主溝１１Ｂに連通する一方で他端が内側ショルダー陸部５０内で閉止した複数本のサイプ５５とがタイヤ周方向に間隔をおいて形成されている。横溝５１とサイプ５５とはタイヤ周方向に沿って交互に配置されている。外側ショルダー陸部６０には、車両外側の接地端Ｅoutを横切るようにタイヤ周方向に延長して主溝１１Ｄに対して非連通となる複数本の横溝６１がタイヤ周方向に間隔をおいて形成されている。
【００２５】
トレッド部１の車両内側の接地端Ｅinからタイヤ赤道ＣＬまでを車両内側領域Ａinとし、トレッド部１の車両外側の接地端Ｅoutからタイヤ赤道ＣＬまでを車両外側領域Ａoutとしたとき、車両内側領域Ａinでの溝パターンと車両外側領域Ａoutでの溝パターンとは互いに非対称になっている。
【００２６】
図３に示すように、車両内側領域Ａinには、横溝５１を含む複数の繰り返し要素Ｒｉが形成されている。ここでは、各繰り返し要素Ｒｉは横溝５１とサイプ３５，５５と主溝１１Ａ，１１Ｂとからなるネガティブ要素とそれ以外の陸部からなるポジティブ要素とから構成されている。これら繰り返し要素Ｒｉは少なくとも３種類のピッチＰｉ（１）〜Ｐｉ（Ｎ）を含むピッチバリエーションで構成されている。つまり、繰り返し要素Ｒｉのピッチバリエーション数はＮである。ピッチＰｉ（１）〜Ｐｉ（Ｎ）は、Ｐｉ（１）＞Ｐｉ（２）＞・・・＞Ｐｉ（Ｎ）の関係を満足している。なお、ピッチＰｉ（１）〜Ｐｉ（Ｎ）は各繰り返し要素Ｒｉにおけるタイヤ周方向の同一位置を基準として測定されるものである。図３では、内側ショルダー陸部５０の横溝５１の特定位置を基準としてピッチＰｉ（１）〜Ｐｉ（Ｎ）が特定されているが、その基準となる位置は任意に定めることができる。
【００２７】
車両内側領域Ａinにおける各繰り返し要素Ｒｉの溝面積比率をピッチがより長いものから順番にＳｉ（１）、Ｓｉ（２）、・・・、Ｓｉ（Ｎ−１）、Ｓｉ（Ｎ）としたとき、Ｓｉ（２）−Ｓｉ（１）≧Ｓｉ（３）−Ｓｉ（２）≧・・・≧Ｓｉ（Ｎ）−Ｓｉ（Ｎ−１）、かつ、Ｓｉ（１）＞Ｓｉ（Ｎ）の関係を満足している。より好ましくは、Ｓｉ（２）−Ｓｉ（１）＞Ｓｉ（３）−Ｓｉ（２）＞・・・＞Ｓｉ（Ｎ）−Ｓｉ（Ｎ−１）、かつ、Ｓｉ（１）＞Ｓｉ（２）＞・・・＞Ｓｉ（Ｎ−１）＞Ｓｉ（Ｎ）の関係を満足している。
【００２８】
図４に示すように、車両外側領域Ａoutには、横溝６１を含む複数の繰り返し要素Ｒｏが形成されている。ここでは、各繰り返し要素Ｒｏは横溝６１とサイプ２５，４５，４６と周方向補助溝４８と主溝１１Ｃ，１１Ｄとからなるネガティブ要素とそれ以外の陸部からなるポジティブ要素とから構成されている。これら繰り返し要素Ｒｏは少なくとも３種類のピッチＰｏ（１）〜Ｐｏ（Ｎ）を含むピッチバリエーションで構成されている。つまり、繰り返し要素Ｒｏのピッチバリエーション数はＮである。ピッチＰｏ（１）〜Ｐｏ（Ｎ）は、Ｐｏ（１）＞Ｐｏ（２）＞・・・＞Ｐｏ（Ｎ）の関係を満足している。なお、ピッチＰｏ（１）〜Ｐｏ（Ｎ）は各繰り返し要素Ｒｏにおけるタイヤ周方向の同一位置を基準として測定されるものである。図４では、外側ショルダー陸部６０の横溝６１の特定位置を基準としてピッチＰｏ（１）〜Ｐｏ（Ｎ）が特定されているが、その基準となる位置は任意に定めることができる。
【００２９】
車両外側領域Ａoutにおける各繰り返し要素Ｒｏの溝面積比率をピッチがより長いものから順番にＳｏ（１）、Ｓｏ（２）、・・・、Ｓｏ（Ｎ−１）、Ｓｏ（Ｎ）としたとき、Ｓｏ（２）−Ｓｏ（１）≧Ｓｏ（３）−Ｓｏ（２）≧・・・≧Ｓｏ（Ｎ）−Ｓｏ（Ｎ−１）、かつ、Ｓｏ（１）＞Ｓｏ（Ｎ）の関係を満足している。より好ましくは、Ｓｏ（２）−Ｓｏ（１）＞Ｓｏ（３）−Ｓｏ（２）＞・・・＞Ｓｏ（Ｎ）−Ｓｏ（Ｎ−１）、かつ、Ｓｏ（１）＞Ｓｏ（２）＞・・・＞Ｓｏ（Ｎ−１）＞Ｓｏ（Ｎ）の関係を満足している。
【００３０】
表１には、車両内側領域Ａin及び車両外側領域Ａoutにおける繰り返し要素Ｒｉ，Ｒｏのピッチと溝面積比率の具体例を示す。
【００３１】
【表１】
2016002987.tif 000003
【００３２】
上述した空気入りタイヤでは、上記関係式に基づいて、車両内側領域Ａin及び車両外側領域Ａoutにおいて繰り返し要素Ｒｉ，Ｒｏの溝面積比率を最長ピッチＰｉ（１），Ｐｏ（１）から最短ピッチＰｉ（Ｎ），Ｐｏ（Ｎ）に向けて減少させ、ピッチが相対的に小さい繰り返し要素Ｒｉ，Ｒｏの溝面積比率〔例えば、Ｓｉ（Ｎ），Ｓｏ（Ｎ）〕を相対的に小さくすることにより、繰り返し要素Ｒｉ，Ｒｏの剛性をタイヤ周上で均一化し、転がり抵抗を改善することができる。また、ピッチが相対的に小さい繰り返し要素Ｒｉ，Ｒｏほど溝面積比率の変化量〔例えば、Ｓｉ（Ｎ）−Ｓｉ（Ｎ−１）の絶対値、Ｓｏ（Ｎ）−Ｓｏ（Ｎ−１）の絶対値〕を大きくすることにより、パターンノイズの周波数を効果的に分散させてノイズ性能を改善することができる。その結果、ピッチバリエーションという枠組みの中で転がり抵抗とノイズ性能を同時に改善することが可能になる。
【００３３】
上記空気入りタイヤにおいて、車両内側領域Ａinにおいて最短ピッチを有する繰り返し要素Ｒｉの溝面積比率Ｓｉ（Ｎ）と車両内側領域Ａinにおいて最長ピッチを有する繰り返し要素Ｒｉの溝面積比率Ｓｉ（１）との差〔Ｓｉ（Ｎ）−Ｓｉ（１）〕から求まる車両内側領域Ａinでの溝面積比率の最大差は−１％〜−４％であると良い。これにより、ウエット路面での操縦安定性を悪化させることなく、転がり抵抗とノイズ性能を効果的に改善することができる。ここで、車両内側領域Ａinでの溝面積比率の最大差が−１％超であると転がり抵抗の改善効果が低下し、逆に−４％未満であるとピッチが相対的に小さい繰り返し要素Ｒｉの溝面積が不足して排水性が悪化し、ウエット路面での操縦安定性を悪化する。
【００３４】
また、車両外側領域Ａoutにおいて最短ピッチを有する繰り返し要素Ｒｏの溝面積比率Ｓｏ（Ｎ）と車両外側領域Ａoutにおいて最長ピッチを有する繰り返し要素Ｒｏの溝面積比率Ｓｏ（１）との差〔Ｓｏ（Ｎ）−Ｓｏ（１）〕から求まる車両外側領域Ａoutでの溝面積比率の最大差は−１％〜−４％であると良い。これにより、ウエット路面での操縦安定性を悪化させることなく、転がり抵抗とノイズ性能を効果的に改善することができる。ここで、車両外側領域Ａoutでの溝面積比率の最大差が−１％超であると転がり抵抗の改善効果が低下し、逆に−４％未満であるとピッチが相対的に小さい繰り返し要素Ｒｏの溝面積が不足して排水性が悪化し、ウエット路面での操縦安定性を悪化する。
【００３５】
車両内側領域Ａin及び車両外側領域Ａoutでの溝面積比率の最大差については、Ｓｉ（Ｎ）−Ｓｉ（１）＝Ｓｏ（Ｎ）−Ｓｏ（１）とすることが可能であるが、Ｓｉ（Ｎ）−Ｓｉ（１）の値とＳｏ（Ｎ）−Ｓｏ（１）の値とを互いに異ならせることも可能である。
【００３６】
Ｓｉ（Ｎ）−Ｓｉ（１）＞Ｓｏ（Ｎ）−Ｓｏ（１）とした場合、車両内側領域Ａinでは繰り返し要素Ｒｉの溝面積比率の最大差〔Ｓｉ（Ｎ）−Ｓｉ（１）の絶対値〕が相対的に小さくなり、剛性の均一化が促進されるため耐偏摩耗性が良化し、車両外側領域Ａoutでは溝面積比率の最大差〔Ｓｉ（Ｎ）−Ｓｉ（１）の絶対値〕が相対的に大きくなり、パターンノイズの周波数分散性が向上するためノイズ性能が良化する。
【００３７】
表２には、Ｓｉ（Ｎ）−Ｓｉ（１）＞Ｓｏ（Ｎ）−Ｓｏ（１）とした場合の車両内側領域Ａin及び車両外側領域Ａoutにおける繰り返し要素Ｒｉ，Ｒｏのピッチと溝面積比率の具体例を示す。
【００３８】
【表２】
2016002987.tif 000004
【００３９】
また、Ｓｉ（Ｎ）−Ｓｉ（１）＜Ｓｏ（Ｎ）−Ｓｏ（１）とした場合、車両内側領域Ａinでは繰り返し要素Ｒｏの溝面積比率の最大差〔Ｓｏ（Ｎ）−Ｓｏ（１）の絶対値〕が相対的に大きくなり、各繰り返し要素Ｒｏの溝体積がタイヤ周上で均一化されるためウエット路面での操縦安定性が良化し、車両外側領域Ａoutでは繰り返し要素Ｒｏの溝面積比率の最大差〔Ｓｏ（Ｎ）−Ｓｏ（１）の絶対値〕が相対的に小さくなり、剛性の均一化が促進されるためドライ路面での操縦安定性が良化する。
【００４０】
表３には、Ｓｉ（Ｎ）−Ｓｉ（１）＜Ｓｏ（Ｎ）−Ｓｏ（１）とした場合の車両内側領域Ａin及び車両外側領域Ａoutにおける繰り返し要素Ｒｉ，Ｒｏのピッチと溝面積比率の具体例を示す。
【００４１】
【表３】
2016002987.tif 000005
【００４２】
上記空気入りタイヤでは、タイヤ周上において、最長ピッチ〔即ち、Ｐｉ（１），Ｐｏ（１）〕を有する繰り返し要素Ｒｉ，Ｒｏの数は最短ピッチ〔即ち、Ｐｉ（Ｎ），Ｐｏ（Ｎ）〕を有する繰り返し要素Ｒｉ，Ｒｏの数よりも少ないことが望ましい。つまり、ピッチが相対的に小さい繰り返し要素Ｒｉ，Ｒｏの溝面積比率を調整することで転がり抵抗とノイズ性能を改善する効果を得ているため、最短ピッチを有する繰り返し要素Ｒｉ，Ｒｏの数が最長ピッチを有する繰り返し要素Ｒｉ，Ｒｏの数よりも多い配列において上述の構成を適用した場合に顕著な効果が得られる。
【００４３】
また、繰り返し要素Ｒｉ，Ｒｏはピッチの長さがタイヤ周方向に沿って周期的に増減するように配列すると良い。例えば、ピッチＰｉ（１）〜Ｐｉ（Ｎ），Ｐｏ（１）〜Ｐｏ（Ｎ）の長さがタイヤ周上で３〜５回増減を繰り返すような配列が良い。その際、ピッチの長さがタイヤ周方向に沿って一様に増加又は減少することは必ずしも要求されず、同じ長さのピッチが並ぶ場合を含んでいても良い。このような周期配列ではピッチが相対的に小さい繰り返し要素が局所的に集合することになるため、周期配列において上述の構成を適用した場合に顕著な効果が得られる。
【００４４】
上述した空気入りタイヤにおいて、車両内側領域Ａin及び車両外側領域Ａoutにおける各繰り返し要素Ｒｉ，Ｒｏの溝面積比率は特に限定されるものではないが、例えば、２０％〜４０％の範囲、より好ましくは、２５％〜３５％の範囲に設定することが望ましい。これにより、ウエット路面での操縦安定性を損なうことなく、転がり抵抗及びノイズ性能の改善効果を十分に確保することができる。
【００４５】
また、上述した空気入りタイヤにおいて、車両内側領域Ａinにおける繰り返し要素ＲｉのピッチＰｉ（１）〜Ｐｉ（Ｎ）の値と車両外側領域Ａoutにおける繰り返し要素ＲｏのピッチＰｏ（１）〜Ｐｏ（Ｎ）の値は互いに一致するものであり、その配列も同じである。しかしながら、車両内側領域Ａin及び車両外側領域Ａoutにおいて繰り返し要素Ｒｉ，Ｒｏの配列を異ならせたり、或いは、車両内側領域ＡinのピッチＰｉ（１）〜Ｐｉ（Ｎ）と車両外側領域ＡoutのピッチＰｏ（１）〜Ｐｏ（Ｎ）の値を異ならせたりすることは可能である。いずれの場合においても、Ｐｉ（１）／Ｐｉ（Ｎ）及びＰｏ（１）／Ｐｏ（Ｎ）を１．２〜２．０の範囲、より好ましくは１．３〜１．６の範囲に設定することが望ましい。
【実施例】
【００４６】
タイヤサイズ２１５／４５Ｒ１７で、トレッド部と一対のサイドウォール部と一対のビード部とを備えると共に、車両に対する装着方向が指定された空気入りタイヤにおいて、車両内側領域及び車両外側領域に横溝を含む複数の繰り返し要素をタイヤ周方向に沿って反復的に形成し、これら繰り返し要素を５種類のピッチを含むピッチバリエーションで構成し、車両内側領域における各繰り返し要素の溝面積比率をピッチがより長いものから順番にＳｉ（１）、Ｓｉ（２）、Ｓｉ（３）、Ｓｉ（４）、Ｓｉ（５）とし、車両外側領域における各繰り返し要素の溝面積比率をよりピッチが長いものから順番にＳｏ（１）、Ｓｏ（２）、Ｓｏ（３）、Ｓｏ（４）、Ｓｏ（５）としたとき、Ｓｉ（１）〜Ｓｉ（５）及びＳｏ（１）〜Ｓｏ（５）の関係を表４のように設定した従来例、比較例及び実施例１〜７のタイヤを製作した。
【００４７】
最短・最長ピッチ数について、最長ピッチを有する繰り返し要素の数が最短ピッチを有する繰り返し要素の数よりも少ない場合を「最短＞最長」にて示し、最長ピッチを有する繰り返し要素の数が最短ピッチを有する繰り返し要素の数よりも多い場合を「最短＜最長」にて示した。また、配列について、繰り返し要素をピッチの長さがタイヤ周方向に沿って周期的に増減するように配列した場合を「周期」にて示し、繰り返し要素をピッチの長さがタイヤ周方向に沿ってランダムに増減するように配列した場合を「ランダム」にて示した。
【００４８】
これら試験タイヤについて、下記試験方法により、転がり抵抗、ノイズ性能を評価し、その結果を表４に併せて示した。
【００４９】
転がり抵抗：
各試験タイヤをリムサイズ１７×７Ｊのホイールに組み付け、ＩＳＯの規定に準拠して、転がり抵抗を測定した。評価結果は、測定値の逆数を用い、従来例を１００とする指数にて示した。この指数値が大きいほど転がり抵抗が小さいことを意味する。
【００５０】
ノイズ性能：
各試験タイヤをリムサイズ１７×７Ｊのホイールに組み付けて排気量１８００ｃｃの前輪駆動車に装着し、ウォームアップ後の空気圧（Ｆ／Ｒ）を２３０ｋＰａ／２２０ｋＰａとし、速度１００ｋｍ／ｈでの直線走行時に車室内での音圧レベルを計測した。評価結果は、測定値の逆数を用い、従来例を１００とする指数にて示した。この指数値が大きいほどノイズ性能が優れていることを意味する。
【００５１】
【表４】
2016002987.tif 000006
【００５２】
この表４から判るように、実施例１〜７のタイヤは、転がり抵抗及びノイズ性能が同時に改善されていた。一方、比較例においては、車両内側領域及び車両外側領域において繰り返し要素の溝面積比率の変化量が一様であるため、転がり抵抗及びノイズ性能の改善効果が必ずしも十分ではなかった。
【符号の説明】
【００５３】
１  トレッド部
２  サイドウォール部
３  ビード部
１１  主溝
５１，６１  横溝
Ａin  車両内側領域
Ａout  車両外側領域
Ｒｉ  車両内側領域の繰り返し要素
Ｒｏ  車両外側領域の繰り返し要素
【図１】
2016002987.tif 000007
【図２】
2016002987.tif 000008
【図３】
2016002987.tif 000009
【図４】
2016002987.tif 000010